(57)【要約】      （修正有）【課題】甲板の幅を広くとりやすくし、幅の広い海苔網ガイドフレームや液槽を備えやすくする海苔網酸処理船を提供する。【解決手段】海苔網酸処理船は、船体１０と、海苔網Ｎを船体１０の船首から甲板の上方を経て船尾へガイドするよう船体に架設された海苔網ガイドフレーム２０と、ガイドされる海苔網Ｎに酸処理を行うよう船体の甲板１５に設置された液槽３０とを備え、船体を双胴船の船体とした。【選択図】図４
0003212732.tif 000002
【実用新案登録請求の範囲】
【請求項１】
船体（１０）と、海苔網（Ｎ）を船体（１０）の船首から甲板の上方を経て船尾へガイドすることができるよう船体（１０）に架設された海苔網ガイドフレーム（２０）と、甲板（１５）の上方をガイドされる海苔網（Ｎ）に酸処理液を接触させる酸処理を行うことができるよう船体（１０）の甲板（１５）に設置された液槽（３０）とを備えた海苔網酸処理船において、
前記船体（１０）を双胴船の船体（１０）としたことを特徴とする海苔網酸処理船。
【請求項２】
船体（１０）と、海苔網（Ｎ）を船体（１０）の船首から甲板の上方を経て船尾へガイドすることができるよう船体（１０）に架設された海苔網ガイドフレーム（２０）と、甲板（１５）の上方をガイドされる海苔網（Ｎ）に酸処理液を接触させる酸処理を行うことができるよう船体（１０）の甲板（１５）に設置された液槽（３０）とを備えた海苔網酸処理船において、
前記船体（１０）を双胴船の船体（１０）とするとともに、甲板（１５）、海苔網ガイドフレーム（２０）及び液槽（３０）の各幅を３〜１０ｍとしたことを特徴とする海苔網酸処理船。
【請求項３】
船体（１０）と、海苔網（Ｎ）を船体（１０）の船首から甲板の上方を経て船尾へガイドすることができるよう船体（１０）に架設された海苔網ガイドフレーム（２０）と、甲板（１５）の上方をガイドされる海苔網（Ｎ）に酸処理液を接触させる酸処理を行うことができるよう船体（１０）の甲板（１５）に設置された液槽（３０）とを備えた海苔網酸処理船において、
所定の網幅の海苔網（Ｎ）を２枚左右に並べて前記ガイド及び酸処理を行うことができるよう、前記船体（１０）を双胴船の船体（１０）とするとともに、甲板（１５）、海苔網ガイドフレーム（２０）及び液槽（３０）の各幅を前記網幅の２〜６倍としたことを特徴とする海苔網酸処理船。
【請求項４】
海苔網ガイドフレーム（２０）は、海苔網（Ｎ）を液槽（３０）の内側を通るようにガイドすることで海苔網（Ｎ）を該内側の酸処理液（Ａ）に浸すように構成された請求項１〜３のいずれか一項に記載の海苔網酸処理船。
【請求項５】
海苔網ガイドフレーム（２０）は、海苔網（Ｎ）を液槽（３０）の内側又は上方を通るようにガイドするように構成され、
液槽（３０）の縁又は内側には、海苔網（Ｎ）が液槽（３０）の内側又は上方を通るときに該海苔網（Ｎ）に酸処理液（Ａ）を噴き付けるスプレー（３３）が設けられた請求項１〜４のいずれか一項に記載の海苔網酸処理船。
【考案の詳細な説明】
【技術分野】
【０００１】
本考案は、海上に展開して海苔を育成する海苔網に、海苔の病気予防等のための酸処理を行う船に関する。
【背景技術】
【０００２】
１枚の海苔網は網幅１〜２ｍ、網長１０ｍ以上のものが一般的であり、複数枚の海苔網を幅方向に連結して海上に展開する。従来の一般的な海苔網酸処理船は、船体と、海苔網を船体の船首から甲板の上方を経て船尾へガイドするよう船体に架設された海苔網ガイドフレームと、ガイドされる海苔網に酸処理を行うよう船体の甲板に設置された液槽とを備えている（特許文献１，２）。そして、前記複数枚の海苔網のうちの１枚の海苔網を、その長さ方向の端部分から海苔網ガイドフレーム上に載せてから、海苔網酸処理船を前進させることにより、船首よりも前方に位置していた海苔網の長さ方向の各部分を、順に海苔網ガイドフレームにより船首から船上に引き上げ、液槽を通して酸処理した後、船尾から海に戻すという作業をしている。
【先行技術文献】
【特許文献】
【０００３】
【特許文献１】実開平８−５６４５６号公報
【特許文献２】実開平８−１８７０３８号公報
【考案の概要】
【考案が解決しようとする課題】
【０００４】
従来の海苔網酸処理船は、甲板の幅が狭い単胴船の船体を用いていたため、ガイドフレームや液槽の幅も狭いという課題があった。そのため、前記のとおり海苔網を１枚ずつ酸処理しており、作業効率が悪かった。また、網幅が広めのものは１枚ずつであっても酸処理しにくかった。
【０００５】
そこで、本考案は、甲板の幅を広くとりやすくし、幅の広いガイドフレームや液槽を備えやすくすることを課題とする。
【課題を解決するための手段】
【０００６】
上記の課題を解決するため、次の（１）〜（３）の手段をとった。
（１）船体と、海苔網を船体の船首から甲板の上方を経て船尾へガイドすることができるよう船体に架設された海苔網ガイドフレームと、甲板の上方をガイドされる海苔網に酸処理液を接触させる酸処理を行うことができるよう船体の甲板に設置された液槽とを備えた海苔網酸処理船において、前記船体を双胴船の船体としたことを特徴とする。
【０００７】
ここで、双胴船の船体は、左右の２つの胴体（ハル）とそれらの上部どうしを繋ぐ甲板とを備えたものであり、その余は特定構造のものに限定されない（以下同じ）。
【０００８】
同手段によれば、甲板の幅を広くとりやすくなり、幅の広い海苔網ガイドフレームや液槽を備えやすくなる。
【０００９】
（２）船体と、海苔網を船体の船首から甲板の上方を経て船尾へガイドすることができるよう船体に架設された海苔網ガイドフレームと、甲板の上方をガイドされる海苔網に酸処理液を接触させる酸処理を行うことができるよう船体の甲板に設置された液槽とを備えた海苔網酸処理船において、前記船体を双胴船の船体とするとともに、甲板、海苔網ガイドフレーム及び液槽の各幅を３〜１０ｍとしたことを特徴とする。
【００１０】
ここで、甲板の幅とは、最大幅である。海苔網ガイドフレームの幅は、全長にわたり実質的に均一の場合はその幅であり、変化する場合は最大幅である。液槽の幅も、全長にわたり実質的に均一の場合はその幅であり、変化する場合は最大幅である。これらの定義は以下同じである。
【００１１】
甲板、海苔網ガイドフレーム及び液槽の各幅を３〜１０ｍとしたのは、３ｍ未満では幅を広くする程度が低く、１０ｍを越えると一度の処理量が過剰になり酸処理しにくくなるからである。前記各幅は、好ましくは３．２〜６ｍであり、より好ましくは３．４〜５ｍである。
【００１２】
同手段によれば、甲板の幅を広くとりやすくなり、幅の広いガイドフレームや液槽を備えやすくなる。さらに、海苔網ガイドフレーム及び液槽の各幅を３〜１０ｍとするので、２枚（あるいは３枚以上）の海苔網を一度に酸処理したり、あるいは、網幅が広めの１枚の海苔網を余裕を持って酸処理したりすることができるようになる。
【００１３】
（３）船体と、海苔網を船体の船首から甲板の上方を経て船尾へガイドすることができるよう船体に架設された海苔網ガイドフレームと、甲板の上方をガイドされる海苔網に酸処理液を接触させる酸処理を行うことができるよう船体の甲板に設置された液槽とを備えた海苔網酸処理船において、所定の網幅の海苔網を２枚左右に並べて前記ガイド及び酸処理を行うことができるよう、前記船体を双胴船の船体とするとともに、甲板、海苔網ガイドフレーム及び液槽の各幅を前記網幅の２〜６倍としたことを特徴とする。
【００１４】
ここで、所定の網幅は、特に限定されないが、上述したように一般的な網幅１〜２ｍの範囲から選択される所定の網幅が好ましい。
【００１５】
ここで、甲板、海苔網ガイドフレーム及び液槽の各幅を所定の網幅の２〜６倍としたのは、２倍未満では、２枚の海苔網を一度に酸処理することができず、６倍を越えると一度の処理量が過剰になり酸処理しにくくなるからである。前記各幅は、好ましくは所定の網幅の２．１〜５倍であり、より好ましくは２．２〜４倍である。
【００１６】
同手段によれば、甲板の幅を広くとりやすくなり、幅の広いガイドフレームや液槽を備えやすくなる。さらに、海苔網ガイドフレーム及び液槽の各幅を所定の網幅の２〜６倍としたので、２枚（あるいは３枚以上）の海苔網を一度に酸処理したり、あるいは、網幅が広めの１枚の海苔網を余裕を持って酸処理したりすることができるようになる。
【考案の効果】
【００１７】
本考案の海苔網酸処理船によれば、その船体が双胴船の船体であるため、甲板の幅を広くとりやすくなり、幅の広い海苔網ガイドフレームや液槽を備えやすくなる。また、その双胴船の船体により安定性が高まるため、酸処理作業がしやすくなる。
【００１８】
さらに、(２)(３)の手段に係る考案によれば、２枚の海苔網を一度に酸処理したり、あるいは、網幅が広めの１枚の海苔網を余裕を持って酸処理したりすることができるようになる。特に２枚の海苔網を一度に酸処理することで、従来の２倍のスピードで効率的に酸処理することができる。
【図面の簡単な説明】
【００１９】
【図１】図１(ａ)は実施例の海苔網酸処理船を示す斜視図、(ｂ)は正面図である。
【図２】図２(ａ)はその海苔網酸処理船のIIａ−IIａ断面図、(ｂ)は底面図である。
【図３】図３はその海苔網酸処理船による酸処理作業直前の状態を示す斜視図である。
【図４】図４はその海苔網酸処理船による酸処理作業中の状態を示す斜視図である。
【考案を実施するための形態】
【００２０】
前記酸処理の具体的な態様は、特に限定されないが、次の態様を例示する。
［ア］液槽は、海苔網ガイドフレームは、海苔網を液槽の内側を通るようにガイドすることで海苔網を該内側の酸処理液に浸すように構成された態様。
［イ］海苔網ガイドフレームは、海苔網を液槽の内側又は上方を通るようにガイドするように構成され、液槽の縁又は内側には、海苔網が液槽の内側又は上方を通るときに該海苔網に酸処理液を噴き付けるスプレーが設けられた態様。
［ウ］上記[ア]及び[イ]の両方の構成を兼ね備えた態様。すなわち、海苔網ガイドフレームは、海苔網を液槽の内側を通るようにガイドすることで海苔網を該内側の酸処理液に浸すように構成され、液槽の縁又は内側には、海苔網が液槽の内側又は上方を通るときに該海苔網に酸処理液を噴き付けるスプレーが設けられた態様。
【実施例】
【００２１】
以下、本考案を具体化した実施例について、図面を参照して説明する。但し、本考案は実施例に限定されるものではなく、考案の趣旨から逸脱しない範囲で適宜変更して具体化することができる。
【００２２】
図１(ａ)は実施例１の海苔網酸処理船１の斜視図であり、図１(ｂ)は正面図である。この海苔網酸処理船１は、船体１０と、海苔網Ｎを船首から船尾にガイドするための海苔網ガイドフレーム２０と、海苔網Ｎに酸処理を行うための液槽３０とを備えている。
【００２３】
船体１０は、左右に間隔をおいて並設された、左右の胴体１１，１３と、それらの上部どうしを繋ぐ甲板１５とを備えた、双胴船の船体である。さらに、船体１０の下面における左右の胴体１１，１３の相互間に位置する部分には、下方に突出した中央部１２が設けられている。甲板１５の前側部分の上には液槽３０が設置され、甲板１５の後側部分の上には船室１７が設けられている。そして、船室１７の上方には屋根１８が設けられている。甲板１５の左右幅は、３．５〜４．５ｍである。甲板１５の前後長さは、８〜１２ｍである。
【００２４】
海苔網ガイドフレーム２０は、甲板１５に固定された船上フレーム２２と、船上フレーム２２の前部に前方にスライド可能かつ前傾に回動可能に取り付けられた前ツメフレーム２５とを備えている。
【００２５】
船上フレーム２２は、甲板１５の左の縁、船首、及び右の縁に沿って延びる、平面視で前側が閉じて後側が開いた略Ｕ字形のＵ字フレーム２２ａと、該Ｕ字フレーム２２ａを甲板１５の左右の縁に支持した複数本の支柱２２ｃと、Ｕ字フレーム２２ａの左部と右部とを繋いだ複数本の左右に延びる繋ぎフレーム２２ｂとを含み構成されている。Ｕ字フレーム２２ａの左部及び右部の各後部は、船体１０の船尾よりも後方に延びたのち下方に延びてから前方に延びており、その端部は船体１０の後部に取り付けられている。
【００２６】
前ツメフレーム２５は、平面視で前側が閉じて後側が開いた略Ｖ字形のＶ字フレーム２５ａと、Ｖ字フレーム２５ａの左部と右部とを繋いだ複数本の左右に延びる繋ぎフレーム２５ｂとを含み構成されている。Ｖ字フレーム２５ａは、側面視では、前後方向中間部が上方に突出する形で折れ曲がった横く字形の形状をしている。Ｖ字フレーム２５ａの左部の後端部は、Ｕ字フレーム２２ａの左部に、ガイドレール（図示略）及びローラ（図示略）を介して前方にスライド可能かつ前傾に回動に取り付けられ、Ｖ字フレーム２５ａの右部の後端部は、Ｕ字フレーム２２ａの右部に、ガイドレール（図示略）及びローラ（図示略）を介して前方にスライド可能かつ前傾に回動可能に取り付けられている。
【００２７】
海苔網ガイドフレーム２０の左右幅、すなわち、Ｕ字フレーム２２ａの左端から右端までの長さ、及びＶ字フレーム２５ａの左端から右端までの長さは、３．５〜４．５ｍである。
【００２８】
液槽３０は、酸処理液Ａを貯めるための上方に開口した平面視で四角形の槽である。この液槽３０の左右幅は、３．５〜４．５ｍである。液槽の前後長さは３〜６ｍである。
【００２９】
液槽３０の縁には、酸処理液Ａを海苔網Ｎに噴きつけるためのスプレー３３が設けられている。スプレー３３は、タンク（図示略）に貯められた酸処理液Ａがスプレーポンプ（図示略）による圧力で供給路（図示略）から該スプレー３３に供給されることで、酸処理液Ａを噴射する。そして、該スプレー３３から噴射されて海苔網Ｎに噴き付けられた後の酸処理液Ａは、液槽３０に貯まる。そして、液槽３０の液面が所定高さに達すると回収路から酸処理液Ａがタンクに戻り始める。液槽３０の後方には、海苔網Ｎから滴れ落ちた酸処理液Ａ及びスプレー３３により液槽３０の後方に飛び散った酸処理液Ａを液槽３０に導くための前側に傾斜した傾斜板３９が設置されている。
【００３０】
図２(ａ)は海苔網酸処理船１の側面断面図（IIａ−IIａ断面図）であり、図２(ｂ)は底面図である。船体１０の後部には、海苔網酸処理船１を前進させるための動力となる船外機４０が取り付けられ、船体１０の前部には、海苔網酸処理船１を方向転換させるための動力となるスラスター５０が取り付けられている。
【００３１】
図３は、海苔網酸処理船１により酸処理作業を行う直前の状態を示している。前ツメフレーム２５は、定位置（図１に示す位置）からこのように前方にスライドさせると共に前傾に回動させることで、Ｖ字フレーム２５ａの前端部が水面下に没するようにセットする。その状態で、海苔網酸処理船１を左右２枚の海苔網（幅１．５ｍ）の手前に進める。そして、スプレーポンプ（図示略）を作動させることで、スプレー３３から酸処理液Ａを噴射させる。その噴射された酸処理液Ａは液槽３０の内側に貯まる。その酸処理液Ａの液面が所定高さに達すると酸処理液Ａは回収路（図示略）からタンク（図示略）に戻り始める。これにより、酸処理液Ａは、循環しながら噴射されるようになる。その状態で、海苔網酸処理船１を左右２枚の海苔網Ｎに向けて前進させる。
【００３２】
図４は、その時の状態を示している。海苔網酸処理船１の前進に伴い前ツメフレーム２５により、同２枚の海苔網Ｎが船首から甲板１５の上にすくい上げられる。そのすくい上げられた同２枚の海苔網Ｎは、船上フレーム２２により、船首から液槽３０の内側にガイドされてから船尾にガイドされて船尾から海に戻される。同２枚の海苔網Ｎは、液槽３０の内側及び上方を通過する時にスプレー３３により酸処理液Ａが噴き付けられると共に、液槽３０の内側を通過するときに酸処理液Ａに浸される。それらの噴付け及び浸しの両方により、同２枚の海苔網Ｎが酸処理される。
【００３３】
本実施例の海苔網酸処理船１によれば、船体１０が双胴船の船体であるので、甲板の幅を広くとりやすくなり、幅の広い海苔網ガイドフレーム２０や液槽３０を備えやすくなる。また、船体１０が双胴船の船体であることで安定性が高まるため、酸処理作業がしやすくなる。さらに、上記のように、２枚の海苔網Ｎを一度に酸処理することで、従来の２倍のスピードで効率的に海苔網Ｎを酸処理することができる。
【符号の説明】
【００３４】
１    海苔網酸処理船
１０    船体
１５    甲板
２０    海苔網ガイドフレーム
３０    液槽
３３    スプレー
Ａ    酸処理液
Ｎ    海苔網
【図１】
0003212732.tif 000003
【図２】
0003212732.tif 000004
【図３】
0003212732.tif 000005
【図４】
0003212732.tif 000006